(57)【特許請求の範囲】
【請求項１】
自動車のボディの外側に間隙部を有して積合するように開口されるスライドドアの窓部の内側に張設されるスライドドア用カーテンであって、前記スライドドア用カーテンの基辺側の左右方向の巾が少なくとも前記間隙部の巾より巾広に設けた布厚とした布厚部と、該布厚部の基辺近傍の上下方向に取着したボディの内側に間隔を有して設けた複数のボディ側固定具に固定する複数のカーテン側固定具と、前記布厚部の先端側に延設したアコーデオン状の多数の折返部を上下方向に形成した窓部を覆うためのカーテン本体と、該カーテン本体の上方辺に取着した自動車のスライドドアの上方辺に水平に取り付けられたレールに装備された枢動自在の複数のカーテンランナーに係着される複数のフックとを備え、前記複数のフックの内先端側に取着した先端フックを前記レールの先端側に固定し、前記布厚部をカーテン地を積層させたもの、レザーやラバー、合成樹脂シート等を積層させて稍難可撓性としたものから構成して、前記スライドドアの開口時に前記布厚部が前記間隙部の端部を覆いカーテン本体が前記間隙部に巻き込まれることを皆無としたことを特徴するスライドドア用カーテン。
【発明の詳細な説明】
【０００１】
【発明の属する技術分野】
本発明は自動車のスライドドアの窓部を覆うスライドドア用カーテンに関するものであり、更に詳細には、ワンボックスカー等に装備されているスライドドアはスライドさせて自動車のボディの外側に間隙部を有して積合させるように開口させる構造と成っており、開口時に前記間隙部にカーテン本体が巻き込まれたり、挟まれたりすることを皆無としたスライドドア用カーテンに関するものである。
【０００２】
【従来技術】
従来、この種のスライドドアを備えた自動車の窓部にするカーテンは、ボディ側にレールを配設して吊設すると荷物の積み降しや、人間の乗り降りに邪魔になることから、可動するスライドドアの窓部の内側にレールを配設して取り付けるように成っている。
【０００３】
【解決しようとする課題】
然し乍ら、自動車のボディの外側とスライドドアの内側との間に間隙部を有して積合するようにスライドドアを開口させるため、スライドドアのスライドに伴って、カーテンはスライドドアの開口側に寄せられる構造と成っており、寄せられたカーテンが間隙部に巻き込まれて、ボディやスライドドアの縁取りに用いられているゴム等の色が付着したり、挟まれて汚れたり、傷着いたりすることが屡々発生している。
【０００４】
【課題を解決するための手段】
本発明に係るスライドドア用カーテンは、上述の課題に鑑み、自動車のボディの外側に間隙部を有して積合するように開口されるスライドドアの窓部の内側に張設されるスライドドア用カーテンであって、スライドドア用カーテンの基辺側の左右方向の巾が少なくとも間隙部の巾より巾広に設けた布厚とした布厚部と、布厚部の基辺近傍の上下方向に取着したボディの内側に間隔を有して設けた複数のボディ側固定具に固定する複数のカーテン側固定具と、布厚部の先端側に延設したアコーデオン状の多数の折返部を上下方向に形成した窓部を覆うためのカーテン本体と、カーテン本体の上方辺に取着した自動車のスライドドアの上方辺に水平に取り付けられたレールに装備された枢動自在の複数のカーテンランナーに係着される複数のフックとを備え、複数のフックの内先端側に取着した先端フックをレールの先端側に固定し、布厚部をカーテン地を積層させたもの、レザーやラバー、合成樹脂シート等を積層させて稍難可撓性としたものから構成して、スライドドアの開口時に布厚部が間隙部の端部を覆いカーテン本体が間隙部に巻き込まれることを皆無としたものである。
【０００５】
【作用】
本発明のスライドドア用カーテンは、自動車のボディの内側に設けられたボディ側固定具にカーテン側固定具を固定すると共に、スライドドアの内側に取り付けられたレールに装備されたカーテンランナーに複数のフックを係着し、フックの内先端側に取着した先端フックをレールの先端側に固定することによって、スライドドアの窓部の内側に張設することができ、スライドドアの開口時にはスライドドア用カーテンはスライドドアの移動に伴ってカーテンランナーに係着されたフックと共に移動され、カーテン本体は複数の折返部によって折り畳まれ、間隙部辺に寄せられるものであるが、布厚部が間隙部の端部を覆いカーテン本体が間隙部に巻き込まれることを皆無としたものである。
【０００６】
従って、本発明の目的は、スライドドアの開口時、自動車のボディの外側とスライドドアの内側との間にできる間隙部に巻き込まれることの無いスライドドア用カーテンに創達し、これを提供する目的である。
【０００７】
【発明の実施の形態】
斯る目的を達成した本発明のスライドドア用カーテンを実施の形態の図面によって説明する。
【０００８】
図１は本発明のスライドドア用カーテンの実施の形態の正面図であり、図２は本発明のスライドドア用カーテンの実施の形態の取付た状態の説明図であり、図３は本発明のスライドドア用カーテンの実施の形態のスライドドアの開口時の説明である。
【０００９】
本発明は自動車のスライドドアＤの窓部Ｗを覆うスライドドア用カーテン１に関するものであり、更に詳細には、ワンボックスカー等に装備されているスライドドアＤはスライドさせて自動車のボディＢの外側に間隙部Ｃを有して積合させるように開口させる構造と成っており、開口時に前記間隙部Ｃにカーテン本体３が巻き込まれたり、挟まれたりすることを皆無としたスライドドア用カーテン１に関するものであり、自動車のボディＢの外側に間隙部Ｃを有して積合するように開口されるスライドドアＤの窓部Ｗの内側に張設されるスライドドア用カーテン１であって、前記スライドドア用カーテン１の基辺側の左右方向の巾が少なくとも前記間隙部Ｃの巾より巾広に設けた布厚とした布厚部２と、該布厚部２の基辺近傍の上下方向に取着したボディＢの内側に間隔を有して設けた複数のボディ側固定具Ｂａに固定する複数のカーテン側固定具２ａと、前記布厚部２の先端側に延設したアコーデオン状の多数の折返部３ａを上下方向に形成した窓部Ｗを覆うためのカーテン本体３と、該カーテン本体３の上方辺に取着した自動車のスライドドアＤの上方辺に水平に取り付けられたレールＤａに装備された枢動自在の複数のカーテンランナー（図示しない）に係着される複数のフック４とを備え、前記複数のフック４の内先端側に取着した先端フック４ａを前記レールＤａの先端側に固定する共に、前記スライドドアＤの開口時に前記布厚部２が前記間隙部Ｃの端部を覆いカーテン本体３が前記間隙部Ｃに巻き込まれないことを皆無としたものである。
【００１０】
即ち、本発明のスライドドア用カーテン１はワンボックスカーやライトバン等の自動車の前後方向にドアをスライドさせることによって開閉できるスライドドアＤの窓部Ｗに張設するもので、スライドドアＤは開口時に自動車のボディＢの外側に積合するようにして開口させるため、自動車のボディＢの外側とスライドドアＤの内側との間に間隙部Ｃを有する構造となっているものである。
【００１１】
そして、スライドドア用カーテン１はスライドドアＤの窓部Ｗの略全体を覆う大きさのもので、図１に図示する如く、略矩形状に織布、不織布等で形成され、窓部Ｗの吊設することによって外部からの光や視野を遮断するものである。
【００１２】
次いで、布厚部２はスライドドア用カーテン１の基辺側の左右方向の巾が少なくとも間隙部Ｃの巾より巾広に設けたものであって、カーテン地を積層させたり、レザーやラバー、合成樹脂シート等を積層させて、稍難可撓性としているものである。
【００１３】
更に、複数のカーテン側固定具２ａはホック状のもので良く、布厚部２の基辺近傍の上下方向に間隔を有して取り付けているもので、自動車のボディＢの内側の開口の近傍に上下方向に間隔を有して設けた複数のボディ側固定具Ｂａと合着させることにより、スライドドア用カーテン１を自動車の内側に固定するものである。
【００１４】
次に、カーテン本体３は、図２に図示する如く、スライドドアＤの窓部Ｗの略全体を覆うためのものであり、アコーデオン状に容易に折り畳めるように多数の折返部３ａを上下方向に形成しており、スライドドアＤの開口時には図３に図示する如くジグザグに折曲して折り畳めるもので、前記布厚部２の先端側に延設されているものである。
【００１５】
次いで、複数のフック４はカーテン本体３の上方辺の折返部３ａに適宜な間隔で取り付けられたフック状のもので、自動車のスライドドアＤの上方辺に水平に取り付けられたレールＤａに枢動自在に装備された複数のカーテンランナーに付設された輪状部に係着されるもので、スライドドアＤの開口時にスライドドア用カーテン１の移動に伴ってフック４と共にカーテンランナーが移動するものである。
【００１６】
そして、先端フック４ａは複数のフック４の内先端側に取着したものであって、スライドドアＤに取り付けられているレールＤａの先端に係着固定しているものである。
【００１７】
本発明のスライドドア用カーテン１は、ボディＢの内側の開口の近傍に設けた複数のボディ側固定具Ｂａに夫々複数のカーテン側固定具２ａを合着させることでボディＢに固定し、スライドドアＤの窓部Ｗの上方辺に配設されたレールＤａに装備された複数のカーテンランナーに複数のフック４を係着すると共に、先端フック４ａをレールＤａの先端側に係着するすることでスライドドアＤに固定するものである。
【００１８】
そして、スライドドアＤを開口させる場合は、スライドドアＤの取っ手を把持して外方に引っ張り自動車のボディＢの外側に位置させ、後方向にスライドさせるものであり、スライドドアＤのスライドに伴って、拡張されていたスライドドア用カーテン１は縮められるものであるが、カーテン本体３に形成した折返部３ａが折曲することで折り畳まれるものである。
【００１９】
つまり、本発明のスライドドア用カーテン１は布厚部２の左右方向の巾を自動車のボディＢの外側とスライドドアＤの内側との間にできる間隙部Ｃの巾より巾広に形成していることによって、スライドドアＤの開口時にカーテン本体３が前記間隙部Ｃに巻き込まれることを妨害するものである。
【００２０】
【発明の効果】
本発明のスライドドア用カーテンは、前述の構成により、ボディ側固定具にカーテン側固定具を固定すると共に、スライドドアのレールに装備されたカーテンランナーに複数のフックを係着し、先端フックをレールの先端側に固定して窓部の内側に張設し、スライドドアを開口させる時には移動に伴ってカーテンランナーに係着されたフックと共に移動し、カーテン本体は複数の折返部によって折り畳まれ、間隙部辺に寄せられるもので、布厚部が間隙部の端部を覆うためカーテン本体が間隙部に巻き込まれることを皆無としたもので、自動車側に殆ど手を加えること無く実施できるもので、画期的で実用性の高い発明である。
【図面の簡単な説明】
【図１】図１は本発明のスライドドア用カーテンの実施の形態の正面図である。
【図２】図２は本発明のスライドドア用カーテンの実施の形態の取付た状態の説明図である。
【図３】図３は本発明のスライドドア用カーテンの実施の形態のスライドドアの開口時の説明である。
【符号の説明】
Ｂ      ボディ
Ｂａ    ボディ側固定具
Ｄ      スライドドア
Ｄａ    レール
Ｗ      窓部
Ｃ      間隙部
１      スライドドア用カーテン
２      布厚部
２ａ    カーテン側固定具
３      カーテン本体
３ａ    折返部
４      フック
４ａ    先端フック
【図１】
0004158385.tif 000002
【図２】
0004158385.tif 000003
【図３】
0004158385.tif 000004